(57)【特許請求の範囲】
【請求項１】
現在位置情報を取得出来ると共に互いに通信可能な、各人が携行する携帯端末に、呼出し設定機能と呼出し通知機能が設けられ、この呼出し設定機能で設定した呼出し設定を実行することにより、呼出し対象の携帯端末が備える呼出し通知機能が動作する呼出しシステムであって、各携帯端末には、この呼出しシステムが適用されるエリア内の案内図表示機能と、呼出し元携帯端末の位置を表示する呼出し位置表示機能が追加され、前記呼出し通知機能が動作する呼出し対象の携帯端末では、前記案内図表示機能による案内図表示が実行されると共に、表示された案内図中に、呼出し元携帯端末から取得した現在位置情報に基づいて、前記呼出し位置表示機能が呼出し位置を表示するように構成された呼出しシステムにおいて、
各携帯端末には、呼出し位置での作業の終了を通知する終了通知機能が追加され、呼出し設定機能で設定した呼出し設定を実行する際、先に呼出しを受けた後に、前記終了通知機能による終了通知を実行していない携帯端末は、呼出し対象から外す呼出し除外処理が実行されるように構成されている、呼出しシステム。
【請求項２】
各携帯端末には、呼出し拒否通知／解除通知機能が追加され、呼出し設定機能で設定した呼出し設定を実行する際、前記呼出し拒否通知／解除通知機能による呼出し拒否通知が実行された後、前記呼出し拒否通知／解除通知機能による拒否解除通知を実行していない携帯端末は、呼出し対象から外す呼出し除外処理が実行されるように構成されている、請求項１に記載の呼出しシステム。
【請求項３】
前記呼出し設定機能では、呼出し対象者を条件付けして絞り込む呼出し条件設定が可能に構成されている、請求項１又は２に記載の呼出しシステム。
【請求項４】
前記呼出し設定機能における呼出し条件設定では、呼出し人数設定が可能に構成され、この呼出し人数設定が実行されたとき、設定された呼出し人数より呼出し可能人数が多いときには、各携帯端末から取得した現在位置情報に基づいて、呼出し位置に距離が近い携帯端末から順に、設定された呼出し人数分の携帯端末まで、前記呼出し通知機能が実行されるように構成された、請求項３に記載の呼出しシステム。
【請求項５】
各携帯端末は、本呼出しシステムが適用されるエリア内を通信エリアとする無線ＬＡＮによって接続され、全ての携帯端末には、前記無線ＬＡＮを介して他の携帯端末の現在位置情報を取得する機能が追加され、呼出し元の携帯端末における呼出し設定に基づく呼出し対象の携帯端末の特定から始まる本呼出しシステムにおける一連の制御は、前記無線ＬＡＮを介して接続された呼出し元携帯端末と呼出し対象の携帯端末によって処理実行される、請求項１〜４の何れか１項に記載の呼出しシステム。
【請求項６】
各携帯端末と呼出し制御機器が、本呼出しシステムが適用されるエリア内を通信エリアとする無線ＬＡＮによって接続され、前記呼出し制御機器によって、各携帯端末の現在位置情報の収集が行われると共に、この呼出し制御機器が、呼出し元の携帯端末における呼出し設定を受けて、呼出し対象の携帯端末の特定から始まる本呼出しシステムにおける一連の制御を実行する、請求項１〜４の何れか１項に記載の呼出しシステム。
【発明の詳細な説明】
【技術分野】
【０００１】
本発明は、工場などの特定エリア内において、所定の携帯端末を携行する複数の作業者等の一人が、自分の居る場所を集合場所として、他の作業者等を呼び出す場合に利用出来る呼出しシステムに関するものである。
【背景技術】
【０００２】
複数の人（通常作業者、保守点検員、或いは管理者など）が業務に従事している工場などにおいて、例えば或る業務従事者が、設備機器の異常などにより、その場での複数人による作業が必要な状況に遭遇したとき、他の業務従事者に呼出しをかけて集合して貰う必要が生じる。近年は、広大な施設内で活動する業務従事者には、互いに通信し合える各種携帯端末を携行させることにより、待ち合わせ（集合）が必要になったときに当該携帯端末を活用して即座に連絡し合える体制が整えられている。しかしながら、従来の呼出しシステムとしては、特許文献１にも記載されるように、他のユーザーと待ち合わせしようとするユーザーの携帯端末が使用出来ないときに、施設内に設置された施設内端末と、専用の管理サーバーとを利用して、他のユーザーに待ち合わせ情報を知らせるシステムが知られていたに過ぎない。
【先行技術文献】
【特許文献】
【０００３】
【特許文献１】特開２０１５−８２１２７号公報
【発明の概要】
【発明が解決しようとする課題】
【０００４】
即ち、特許文献１に記載されるような従来のシステムでは、施設内に設置された施設内端末と、専用の管理サーバーとを利用することが前提であって、施設内端末の設置位置によって待ち合わせ場所が決まってしまう。従って、各業務従事者が携行する携帯端末が使用可能なときは、この携帯端末を使用して他の業務従事者に連絡を取り、待ち合わせ場所などの情報を伝えることになる。しかしながら、呼出したい業務従事者が特定されていないときは、連絡の方法がないことになり、呼出しをかけるエリア内に居る業務従事者の全員又は設定した人数の業務従事者に、一斉に待ち合わせ場所などの情報を伝えて、呼出し者の元に集合させることが出来ない。
【課題を解決するための手段】
【０００５】
本発明は、上記のような従来の問題点を解消することのできる呼出しシステムを提案するものであって、本発明に係る呼出しシステムは、後述する実施例との関係を理解し易くするために、当該実施例の説明において使用した参照符号を括弧付きで付して示すと、現在位置情報を取得(3,19)出来ると共に互いに通信可能な、各人が携行する携帯端末(1)に、呼出し設定機能(5)と呼出し通知機能が設けられ、この呼出し設定機能(5)で設定した呼出し設定を実行することにより、呼出し対象の携帯端末(1)が備える呼出し通知機能が動作する呼出しシステムであって、各携帯端末(1)には、この呼出しシステムが適用されるエリア内の案内図表示機能(9)と、呼出し元携帯端末(1)の位置を表示する呼出し位置表示機能が追加され、前記呼出し通知機能が動作する呼出し対象の携帯端末(1)では、前記案内図表示機能(9)による案内図(10)の表示が実行されると共に、表示された案内図(10)中に、呼出し元携帯端末(1)から取得した現在位置情報に基づいて、前記呼出し位置表示機能が呼出し位置を表示(21)するように構成された呼出しシステムにおいて、
各携帯端末(1)には、呼出し位置での作業の終了を通知する終了通知機能(8)が追加され、呼出し設定機能(5)で設定した呼出し設定を実行する際、先に呼出しを受けた後に、前記終了通知機能(8)による終了通知を実行していない携帯端末(1)は、呼出し対象から外す呼出し除外処理が実行される構成になっている。
【０００６】
上記本発明において使用される携帯端末としては、屋外ではＧＰＳ（Global
Positioning System）と称される、人工衛星を利用した測位システム、屋内では位置識別ビーコンや、ＵＷＢ（Ultra Wide Band）と称される超広帯域無線、などを利用して、本呼出しシステムが適用されるエリア内で現在位置情報を取得出来ると共に、互いに通信可能な携帯端末であって、スマートフォンやタブレットと称されるものが一般的であるが、場合によっては、携行可能なノートＰＣであっても良い。このような携帯端末が、本呼出しシステムが適用されるエリア内で本呼出しシステムを利用しようとする各人が携行しているのであるが、前以て、使用される携帯端末にはＩＤが設定され、この携帯端末ＩＤに使用者の情報、例えば職務内容の他、必要に応じて氏名や所属部署などの個人情報が関連付けられて、データベースが作成されている。本呼出しシステムによって他の人を自分の居場所に呼び出そうとするときは、その人が携行する携帯端末（以下、呼出し元携帯端末という）が備える呼出し設定機能を利用して呼出し設定を行う。この呼出し設定の内容としては、呼出し対象の個人情報、例えばその人が携行する携帯端末のＩＤを入力して、特定の人を呼出し対象として設定することも可能であるが、基本的には、全員か人数を設定するだけで、個人を特定せずに呼出し設定を行う。この呼出し設定を実行すると、設定された呼出し対象者の携帯端末の呼出し通知機能が起動され、呼出しがあったことを、音声や振動、光などにより携行者に気付かせることになり、同時にその呼出し対象者の携帯端末には、この呼出しシステムが適用されるエリア内の案内図が表示されると共に、この案内図中に呼出し元携帯端末の位置、即ち、呼出し位置が表示されるので、呼出し対象者は、この案内図に従って呼出し位置に集合することが出来る。
【発明の効果】
【０００７】
上記のように本発明の呼出しシステムによれば、自分の居場所に他の人を集合させる必要が生じたとき、自分が携行する携帯端末に対して単に呼出し設定を行い、この呼出し設定を実行させるだけで良く、自分の居場所を確認した後に当該居場所を呼出し対象者全員に誤りなく伝えるための手間が不要であり、極めて簡単且つ正確に、自分の居場所への人の呼び集めを実行出来る。しかも、先に呼出しを受けて作業を実行中の者、即ち、作業が終了したときの終了通知を実行していない者は、呼出し対象から除外されるので、作業の途中で呼出しを受けることによる弊害を回避出来る。勿論、呼出し設定を実行する人の居場所が、呼出し対象者に知らせる呼出し場所となるので、現在の居場所が多人数の呼出しに不適であるなどの状況であれば、携帯端末を携行する呼出し者が、呼出しに適当な場所へ移動するだけで、呼出し対象者に通知される呼出し場所が自動的に変更されることになるので、呼出し場所を特別な操作なしに自動的に変更することが出来、効果的に本システムを活用出来る。
【０００８】
上記本発明を実施する場合、具体的には、各携帯端末(1)には、呼出し拒否通知／解除通知機能(7)を追加し、呼出し設定機能(5)で設定した呼出し設定を実行する際、前記呼出し拒否／解除通知機能(7)による呼出し拒否通知が実行された後、前記呼出し拒否／解除通知機能(7)による拒否解除通知を実行していない携帯端末(1)は、呼出し対象から外す呼出し除外処理が実行されるように構成することが出来る。これらの構成によれば、呼出しに応じられない人は、前以てこの状況をシステムに通知しておきさえすれば、応じられない呼出しによって、そのときの本来の業務などに差障りが及ぶのを回避出来ると共に、呼出し者にとっては、呼出しに応じて貰えない人を待つという無駄を回避出来る。
【０００９】
前記呼出し設定機能(5)では、呼出し対象者を条件付けして絞り込む呼出し条件設定が可能に構成することが出来る。この場合の呼出し条件設定としては、例えば、一般作業者、機械系保全担当者や電気系保全担当者、或いは職長などの管理者というように職務内容で絞り込むことが出来るし、集合して貰う人数で絞り込むことが出来る。このように呼出し対象者を条件付けして絞り込むことにより、集合して貰った後の作業を無駄なく的確に実行出来ることになる。
【００１０】
又、前記呼出し設定機能(5)における呼出し条件設定では、呼出し人数設定が可能に構成し、この呼出し人数設定が実行されたとき、設定された呼出し人数より呼出し可能人数が多いときには、各携帯端末(1)から取得した現在位置情報に基づいて、呼出し位置に距離が近い携帯端末(1)から順に、設定された呼出し人数分の携帯端末(1)まで、前記呼出し通知機能が実行されるように構成することが出来る。この構成によれば、無作為に呼出し対象者を人数分だけ絞り込む場合よりも、必要な人数の集合を能率良く実現出来る。
【００１１】
本発明を実施する場合、各携帯端末(1)は、本呼出しシステムが適用されるエリア内を通信エリアとする無線ＬＡＮ(20)によって接続し、全ての携帯端末(1)には、前記無線ＬＡＮ(20)を介して他の携帯端末(1)の現在位置情報を取得する機能を追加し、呼出し元の携帯端末(1)における呼出し設定に基づく呼出し対象の携帯端末(1)の特定から始まる本呼出しシステムにおける一連の制御は、前記無線ＬＡＮ(20)を介して接続された呼出し元携帯端末(1)と呼出し対象の携帯端末(1)によって処理実行されるように構成することが出来る。この構成によれば、専用のサーバーを併用することなく本発明の本呼出しシステムが実施出来る。
【００１２】
上記とは逆に、各携帯端末(1)と呼出し制御機器（サーバー）(22)を、本呼出しシステムが適用されるエリア内を通信エリアとする無線ＬＡＮ(20)によって接続し、前記呼出し制御機器(22)によって、各携帯端末(1)の現在位置情報の収集を行うと共に、この呼出し制御機器(22)が、呼出し元の携帯端末(1)における呼出し設定を受けて、呼出し対象の携帯端末(1)の特定から始まる本呼出しシステムにおける一連の制御を実行するように構成することが出来る。この構成によれば、数多くの携帯端末に必要な処理能力を小さくして、数多く必要な携帯端末にかかるコストを低減出来る。
【図面の簡単な説明】
【００１３】
【図１】図１は、各携帯端末の構成を説明するブロック図である。
【図２】図２Ａは、各携帯端末の画面上の表示内容を示す図であり、図２Ｂは、図２Ａに示す呼出し設定ボタンを操作したときに表示される呼出し設定画面である。
【図３】図３は、呼出し制御機器（サーバー）を併用しない場合の呼出しシステムの全体構成を説明する説明図である。
【図４】図４は、呼出しシステムの制御手順を説明するフローチャートである。
【図５】図５は、呼出し制御機器（サーバー）を併用する場合の呼出しシステムの全体構成を説明する説明図である。
【発明を実施するための形態】
【００１４】
以下、本発明の一実施例を添付図に基づき説明すると、図１に示すように、この実施例において各人が携行する携帯端末１には、固有の端末ＩＤ２が設定されている。そして各携帯端末１は、本呼出しシステムが適用されるエリア内の各携帯端末１の現在位置を取得するセンサー３と、本呼出しシステムを実行する呼出し処理プログラム４が備えられている。又、この呼出し処理プログラム４を実行するために必要な、呼出し設定画面表示５、呼出し応答釦表示６、呼出し拒否通知／解除釦表示７、呼出し作業終了釦表示８、及び呼出しシステム対象エリアの案内図表示９などの機能が備わっている。
【００１５】
図２Ａは、前記呼出しシステム対象エリアの案内図表示９の機能によって、携帯端末１の画面１ａ上に表示される呼出しシステム対象エリアの案内図１０を示しており、この図に示すように、この実施例における呼出しシステム対象エリアには、複数のコンベヤラインCV-1〜CV-6、荷捌き場WS-1,WS-2、被搬送物乗継場WC-1〜WC-6、及び方向転換用ターンテーブルT-1,T-2などから成る被搬送物搬送設備が設けられている。又、この案内図１０が表示される画面１ａには、図２Ｂに示す呼出し設定画面１１を呼び出すための呼出し設定釦１２と、その呼出し設定を解除する呼出し解除釦１３が表示される。呼出し設定画面１１には、呼出し対象者を絞り込むための呼出し対象者選択釦１４ａ〜１４ｄ、呼出し人数を選択する呼出し人数選択釦１５ａ，１５ｂ、呼出し人数を絞る場合の人数設定釦１６ａ，１６ｂと人数表示部１６ｃ、設定を実行する設定実行釦１７、及び設定をキャンセルするキャンセル釦１８などが表示される。
【００１６】
案内図表示９の機能によって、携帯端末１の画面１ａ上に表示された、図２Ａに示す案内図１０は、前記呼出しシステム対象エリアが工場内の１つの建屋内である場合を示しているが、本発明の呼出しシステム対象エリアとしては、屋外エリアを介して行き来出来る複数の建屋を含む場合もあり、屋外の特定エリアのみから成る場合もある。何れにしても、呼出しシステム対象エリア内に位置する全ての携帯端末１が、その内蔵するセンサー３を介して現在位置を取得出来るように、先に説明したように、屋外ではＧＰＳと称される、人工衛星を利用した測位システム、屋内では位置識別ビーコンや、ＵＷＢと称される超広帯域無線、などの現在位置検出用の信号発信設備１９（図３参照）が併用され、この現在位置検出用の信号発信設備に対応した現在位置取得用のセンサー３が使用される。又、前記呼出しシステム対象エリア内に位置する全ての携帯端末１が互いに通信し合えるように、図３に示すように無線ＬＡＮ２０による無線通信環境が備えられ、各携帯端末１には、無線ＬＡＮ２０に対する送受信機能が内蔵される。
【００１７】
次に、以上に説明した携帯端末１を使用する本呼出しシステムの使用方法と制御手順を、図３の説明図と図４のフローチャートに基づいて説明すると、自分の居場所に他の人を集合させる必要を感じた者、即ち、呼出し者は、自分が携行する携帯端末１（図３では、端末ＩＤ「010」の携帯端末）において、呼出しの条件設定を行う(ステップＳ１)。具体的は、図２に示す呼出しシステム対象エリアの案内図１０を携帯端末１の画面１ａに表示させ、当該画面中の呼出し設定釦１２をタッチ操作して、図２Ｂに示す呼出し設定画面１１を表示させる。そしてこの呼出し設定画面１１の呼出し対象者選択釦１４ａ〜１４ｄから、集合して貰いたい人の職種、即ち、一般作業者の場合は選択釦１４ａ、職長の場合は選択釦１４ｂ、機械系保全担当者の場合は選択釦１４ｃ、電気系保全担当者の場合は選択釦１４ｄをタッチ操作する。続いて呼出し人数選択釦１５ａ，１５ｂから、全員呼出しの場合は選択釦１５ａをタッチ操作し、人数指定の場合は選択釦１５ｂをタッチ操作すると共に人数表示部１６ｃに希望人数が表示されるまで人数設定釦１６ａ，１６ｂをタッチ操作する。これら選択釦１４ａ〜１４ｄ，１５ａ，１５ｂは、タッチ操作することにより、選択したことが色の変化などにより視認出来るので、全ての選択内容を確認した上で、間違いなければ設定実行釦１７をタッチ操作し、誤っておればキャンセル釦１８をタッチ操作した上で設定をやり直す。
【００１８】
設定実行釦１７の操作により一連の呼出し制御が実行され、全員呼出しの場合は、呼出し元以外の全ての携帯端末１を呼出し対象に設定して、その全ての携帯端末１に対して呼出し送信（図３のＴ１）が実行される（ステップＳ２〜Ｓ４）。人数指定の場合は、他の全ての携帯端末１を対象にして「現在位置要求」をブロードキャスト送信する（図３のＴ２及びステップＳ５）。この「現在位置要求」を受信した、他の全ての携帯端末１（図３では、端末ＩＤ「026」の携帯端末を含む）からは、その時点で各携帯端末１のセンサー３が検出している現在位置情報が、呼出し元の携帯端末１を対象に送信（図３のＴ３）され、その現在位置情報を呼出し元の携帯端末１が受信する（図３のＴ４）が、既に呼出しを受けていて、集合場所での作業が終了していない人、即ち、図１に示す呼出し作業終了釦表示８で表示される操作釦をタッチ操作していない人や、何らかの事情があって、図１に示す呼出し拒否通知／解除釦表示７で表示される呼出し拒否通知釦をタッチ操作している人（図３の端末ＩＤ「009」の携帯端末から呼出し拒否通知を送信（Ｔ５）している人）は、呼出し対象から除く呼出し除外処理が実行され、最終的に呼出し対象者が抽出される（ステップＳ６，Ｓ７）。
【００１９】
抽出された呼出し対象者の人数、即ち、抽出人数と、人数指定の呼出し設定で設定された指定人数との比較が実行され（ステップＳ８）、抽出人数が指定人数より少ないか等しい場合には、その抽出された呼出し対象者の携帯端末１に対して呼出し送信（図３のＴ１及びステップＳ４）が実行され、抽出人数が指定人数より多い場合には、その抽出された呼出し対象者の現在位置と、呼出し元の携帯端末１の現在位置（呼出し位置）との間の距離を演算し（ステップＳ９）、呼出し位置に近い順番で指定人数分だけ呼出し対象者に決定し、この決定された指定人数分の呼出し対象者の携帯端末１に対して呼出し送信（図３のＴ１及びステップＳ４）が実行される。尚、全員呼出しの場合に、呼出し元以外の全ての携帯端末１に対して無条件に呼出し送信が実行されると説明したが、この場合も、先にステップＳ６，Ｓ７に基づいて説明したように、呼出し作業中の者や呼出し拒否中の者を呼出し対象から除く呼出し除外処理を行うことも可能である。
【００２０】
呼出し対象者が携行する携帯端末１では、呼出し元の携帯端末１からの呼出し送信（図３のＴ１）による呼出し信号を受信する（図３のＴ６）ことにより、呼出し通知が実行される。この呼出し通知は、音や振動、光などにより、この携帯端末１を携行する呼出し対象者に呼出しがあったことを知らせるものである。而して、この呼出し通知を知った呼出し対象者は、図１に示す携帯端末１の呼出し応答釦表示６による操作釦をタッチ操作して、呼出し応答信号を呼出し元の携帯端末１に対して送信する（図３のＴ７）ことにより、呼出し元の携帯端末１が呼出し応答を受信（図３のＴ８）し、呼出し対象者が呼出しに応じてくれたことを知ることが出来る。一方、呼出し通知が実行された呼出し対象者の携帯端末１では、呼出し信号の受信に基づいて、図１の呼出しシステム対象エリアの案内図表示９による呼出しシステム対象エリアの案内図１０が画面１ａ上に表示されると共に、呼出し信号と共に送信されてくる呼出し元の現在位置情報に従って、図２Ａに示すように、案内図１０上に呼出し位置表示２１が表示される。この結果、呼出し対象者は、本呼出しシステムの対象エリア内のどの場所に集合すれば良いかを知ることが出来る。このようにして、呼出し者の元に所定人数の呼出し対象者が集合し、所定の作業が行われることになるが、この呼出し場所での所定の作業が終了することにより、呼び出された呼出し対象者は、携行する携帯端末１において、図１に示す呼出し作業終了釦表示８による操作釦をタッチ操作する。これにより呼出し対象者は、以後に生じる新たな呼出しに対応出来る。呼出し者は、携行する携帯端末１において、図２Ａに示す呼出し解除釦１３をタッチ操作することにより、一連の呼出し作業が完了することになる。
【００２１】
尚、人数指定の呼出し設定時にのみ、呼出し元の携帯端末１から現在位置要求のブロードキャスト送信が行われるように説明したが、全員呼出しの場合にも、当該現在位置要求のブロードキャスト送信を行うようにしても良いし、必要に応じて誰でもが現在位置要求のブロードキャスト送信を行えるようにしても良い。このような現在位置要求のブロードキャスト送信に基づいて各携帯端末１から呼出し元の携帯端末１に送信されてくる各携帯端末１の現在位置情報には、送信元の端末ＩＤとこの端末ＩＤに関連付けられている端末携行者の情報、例えば氏名や職種などの情報も送信されてくるようにすれば、呼出し元の携帯端末１では、呼出しシステム対象エリアの案内図１０に、各携帯端末１の現在位置を端末ＩＤによって表示させ、この端末ＩＤ表示をタップ操作することにより、前記個人情報と呼出し操作釦を表示させ、開示された個人情報の内容から呼出し対象者とする場合には前記呼出し操作釦をタップ操作して、当該呼出し対象者に呼出し送信をかけることも可能になる。
【００２２】
又、以上の実施例では、各携帯端末１が内蔵する呼出し処理プログラム４によって、本呼出しシステムを実行させるように構成したが、制御対象の携帯端末１の台数が非常に多い場合などでは、図５に示すように、呼出し制御機器（呼出し制御用サーバー）２２を、本呼出しシステムに組み込むことが出来る。この呼出し制御機器２２は、本呼出しシステム対象エリア内の全ての携帯端末１と前記無線ＬＡＮ２０を介して接続されるものである。
【００２３】
このような呼出し制御機器２２を別途設ける場合は、全ての携帯端末１から一定時間おきに端末ＩＤと共に現在位置情報を自動送信（図５のＴ９）させ、この全ての携帯端末１の端末ＩＤと現在位置情報とから、前記エリア内の端末現在位置マップを作成して、以後自動更新させ、又、特定の携帯端末１から送信される呼出し応答送信（図５のＴ７）、呼出し位置到着送信（図５のＴ１０）、呼出し作業完了送信（図５のＴ１１）、及び呼出し拒否通知／解除送信（図５のＴ５）などに基づいて、呼出し中端末や呼出し拒否端末などの呼出し不可端末リストを作成し、呼出し元の携帯端末１から呼出し設定送信（図５のＴ１２）を受信したとき、その呼出し条件と前記エリア内の端末現在位置マップ並びに呼出し不可端末リストから呼出し対象端末を選定し、この選定された呼出し対象の携帯端末１に、呼出し位置（呼出し元の携帯端末１の現在位置情報）と共に呼出し送信（図５のＴ１３）を行わせることが出来る。
【産業上の利用可能性】
【００２４】
本発明の呼出しシステムは、工場などの特定エリア内において、所定の携帯端末を携行する複数の作業者等の一人が、自分の居る場所を集合場所として、他の作業者等を呼び出すシステムとして活用出来る。
【符号の説明】
【００２５】
１    携帯端末
２    端末ＩＤ
３    現在位置を取得するセンサー
４    呼出し処理プログラム
５    呼出し設定画面表示
６    呼出し応答釦表示
７    呼出し拒否通知／解除釦表示
８    呼出し作業終了釦表示
９    呼出しシステム対象エリアの案内図表示
１０    呼出しシステム対象エリアの案内図
１１    呼出し設定画面
１２    呼出し設定釦
１３    呼出し解除釦
１４ａ〜１４ｄ    呼出し対象者選択釦
１５ａ，１５ｂ    呼出し人数選択釦
１６ａ，１６ｂ    人数設定釦
１７    設定実行釦
１８    キャンセル釦
１９    現在位置検出用の信号発信設備
２０    無線ＬＡＮ
２１    呼出し位置表示
２２    呼出し制御機器
【図１】
0006519749.tif 000002
【図２】
0006519749.tif 000003
【図３】
0006519749.tif 000004
【図４】
0006519749.tif 000005
【図５】
0006519749.tif 000006